(57)【要約】【課題】乗り場呼び登録装置のプレートを取り外すことができるプレート取外し治具を提供することにある。【解決手段】プレート取外し治具１は、装着部１１と、把持部１２と、を備えている。装着部１１は、乗り場呼び登録装置１４３のプレート１４３ｃの鉛直方向の下端部の装着穴１４３ｇに対して鉛直方向に平行に挿抜可能に装着される。装着部１１は、装着穴１４３ｇに装着された状態で鉛直方向に対して平行で下方に延在される。把持部１２は、装着部１１が装着穴１４３ｇに装着された状態で、装着部１１の下方の端部からプレート１４３ｃとは反対側の水平方向に延在される。【選択図】図７
2015168545.tif 000002
【特許請求の範囲】
【請求項１】
乗り場呼び登録装置のプレートの鉛直方向の下端部の装着穴に対して鉛直方向に平行に挿抜可能に装着され、前記装着穴に装着された状態で鉛直方向に対して平行で下方に延在される装着部と、
前記装着部が前記装着穴に装着された状態で、前記装着部の下方の端部から前記プレートとは反対側の水平方向に延在される把持部と、を備えていることを特徴とするプレート取外し治具。
【請求項２】
前記装着部の長手方向の長さより前記把持部の長手方向の長さが長いことを特徴とする請求項１に記載のプレート取外し治具。
【請求項３】
前記把持部には、弾性を有し、筒状に形成された弾性部材が外装されていることを特徴とする請求項１または請求項２に記載のプレート取外し治具。
【請求項４】
前記装着穴は、鉛直方向視で多角形状に形成され、
前記装着部は、少なくとも前記装着穴に装着される部分が前記装着穴に対応する多角形状に形成されていることを特徴とする請求項１から請求項３のいずれか一項に記載のプレート取外し治具。
【発明の詳細な説明】
【技術分野】
【０００１】
本発明の実施形態は、プレート取外し治具に関する。
【背景技術】
【０００２】
従来、エレベータの点検時には、乗り場呼び登録装置のプレートが取り外されることがある。
【先行技術文献】
【特許文献】
【０００３】
【特許文献１】特開平３−９５０９２号公報
【発明の概要】
【発明が解決しようとする課題】
【０００４】
ところで、従来技術の乗り場呼び登録装置では、プレートを治具で取り外すことは考慮されていなかった。
【０００５】
したがって、本発明が解決しようとする課題は、乗り場呼び登録装置のプレートを取り外すことができるプレート取外し治具を提供することにある。
【課題を解決するための手段】
【０００６】
実施形態のプレート取外し治具は、装着部と、把持部と、を備えている。装着部は、乗り場呼び登録装置のプレートの鉛直方向の下端部の装着穴に対して鉛直方向に平行に挿抜可能に装着される。装着部は、装着穴に装着された状態で鉛直方向に対して平行で下方に延在される。把持部は、装着部が装着穴に装着された状態で、装着部の下方の端部からプレートとは反対側の水平方向に延在される。
【図面の簡単な説明】
【０００７】
【図１】図１は、実施形態に係るエレベータの全体の概略構成例を示す模式図である。
【図２】図２は、実施形態に係る乗り場呼び登録装置の概略構成例を示す斜視図である。
【図３】図３は、実施形態に係る乗り場呼び登録装置の概略構成例を示す底面図である。
【図４】図４は、実施形態に係るプレート取外し治具の概略構成例を示す側面図である。
【図５】図５は、実施形態に係るプレート取外し治具の概略構成例を示す平面図である。
【図６】図６は、実施形態に係るプレート取外し治具の概略構成例を示す正面図である。
【図７】図７は、実施形態に係るプレート取外し治具の使用例を示す図である。
【発明を実施するための形態】
【０００８】
［実施形態］
図１は、実施形態に係るエレベータの全体の概略構成例を示す模式図である。図２は、実施形態に係る乗り場呼び登録装置の概略構成例を示す斜視図である。図３は、実施形態に係る乗り場呼び登録装置の概略構成例を示す底面図である。
【０００９】
図１に示す実施形態に係るエレベータ１００は、建造物（建築物ともいう）の昇降路１０１内に設置されて、乗りかご１１０に設けられたかご呼び登録装置１１２の行き先階登録釦の操作入力に基づいて、利用者や荷物等を建造物の任意の階の乗り場１４０へ運搬するものである。ここで、昇降路１０１は、建造物の複数の階にわたって設けられ、かつ鉛直方向に対して平行な直線状に延びている。本実施形態に係るエレベータ１００は、乗りかご１１０が昇降路１０１内を昇降することで、任意の階の乗り場１４０に移動することができるものである。
【００１０】
エレベータ１００は、図１に示すように、乗りかご１１０と、駆動機構１２０と、カウンタウェイト１３０と、乗り場１４０と、エレベータ制御部１５０と、を含んで構成されている。
【００１１】
乗りかご１１０は、利用者を乗せたり荷物等を載せたりするための構造物である。乗りかご１１０は、昇降路１０１内に収容され、鉛直方向において昇降移動可能に構成されている。乗りかご１１０は、かご扉１１１と、かご呼び登録装置１１２と、を備えている。かご扉１１１は、乗りかご１１０が任意の階の乗り場１４０の着床位置に着床している場合に開かれる扉である。かご呼び登録装置１１２は、行き先階を登録するための行き先登録釦（図示省略）、乗りかご１１０が任意の階の乗り場１４０の着床位置に着床している場合にかご扉１１１を開閉させるための開閉釦（図示省略）などを有している。
【００１２】
駆動機構１２０は、例えば、昇降路１０１内の鉛直方向の上端付近に配置されている。駆動機構１２０は、動力源である電動機１２３により回転駆動されるメインシーブ１２４を有する巻上機１２１と、メインシーブ１２４とともにメインロープ１２５が掛けられるそらせシーブ１２２と、を備えている。メインロープ１２５は、巻上機１２１のメインシーブ１２４とそらせシーブ１２２とに掛けられて、一端に乗りかご１１０が接続され、他端にカウンタウェイト１３０が接続されている。
【００１３】
カウンタウェイト１３０は、乗りかご１１０と連動して昇降路１０１を昇降可能なつり合いおもりである。カウンタウェイト１３０は、メインロープ１２５を介して乗りかご１１０に連結されている。カウンタウェイト１３０は、昇降路１０１内に収容され、鉛直方向において昇降移動可能に構成されている。
【００１４】
乗り場１４０は、利用者が乗りかご１１０に対して乗降したり、荷物を乗りかご１１０に対して積み下ろしたりするための場所である。乗り場１４０は、建造物において乗りかご１１０が着床可能な階床に設けられている。乗り場１４０は、乗り場扉１４１と、側壁１４２と、乗り場呼び登録装置１４３または乗り場呼び登録装置１４４と、を含んで構成されている。乗り場扉１４１は、かご扉１１１の開閉に伴って開閉する扉である。側壁１４２は、乗り場呼び登録装置１４３または乗り場呼び登録装置１４４が取り付けられる壁である。本実施形態では、側壁１４２は、乗り場扉１４１の側方および上方に配置される三方枠、階床に対して立設される壁、または作業員が乗りかご１１０上に乗る場合などに、乗り場１４０から乗りかご１１０を運転操作するための操作盤など、乗り場１４０における壁状のものを想定している。乗り場呼び登録装置１４３、１４４は、利用者が任意の乗り場１４０の階床に乗りかご１１０を呼ぶための装置である。ここで、本実施形態では、乗り場１４０から乗りかご１１０を運転操作するためのホールメンテナンスユニットを有する乗り場呼び登録装置１４３について説明する。乗り場呼び登録装置１４３は、一般的に、乗り場１４０から乗りかご１１０を運転する際に利用される最上階の側壁１４２に取り付けられている。なお、乗り場呼び登録装置１４３は、最上階の側壁１４２の他に、基準階となる一階の側壁１４２に取り付けられることもある。また、乗り場呼び登録装置１４３は、例えば、収容箱１４３ａと、保護カバー１４３ｂと、プレート１４３ｃと、を備えている。
【００１５】
収容箱１４３ａは、ホールメンテナンスユニットを収容するものである。収容箱１４３ａは、例えば、矩形状の箱状に形成されている。収容箱１４３ａは、側壁１４２に対してはめ込まれて固定されている。収容箱１４３ａには、スイッチパネルユニットを構成するスイッチパネルユニット基板やホールメンテナンスユニットを構成するホールメンテナンスユニット基板が収容されている。また、収容箱１４３ａには、乗り場１４０から作業員が各ユニット基板にアクセスするための開口部が形成されている。なお、各ユニット基板は、エレベータ制御部１５０に対して、制御信号が伝送される伝送線、電力が供給される動力線で接続されている。
【００１６】
保護カバー１４３ｂは、収容箱１４３ａに収容される各ユニット基板を保護するカバーである。保護カバー１４３ｂは、収容箱１４３ａの乗り場１４０側を覆う板状に形成されている。保護カバー１４３ｂは、収容箱１４３ａに対して、乗り場１４０側に取り付けられ、収容箱１４３ａの開口部を塞いでいる。保護カバー１４３ｂは、解錠状態で収容箱１４３ａから取り外し可能となり、施錠状態で収容箱１４３ａに固定されるロック機構を有している。
【００１７】
プレート１４３ｃは、利用者に対してエレベータ１００に関する情報を表示するものである。プレート１４３ｃは、保護カバー１４３ｂを覆う板状に形成され、側壁１４２に対して突出して形成されている。プレート１４３ｃは、鉛直方向に対して平行な平板状に形成されている。プレート１４３ｃの側壁１４２に対する突出量（側壁１４２の表面からプレート１４３ｃの表面１４３ｈまでの長さ）は、利用者によりプレート１４３ｃが不用意に取り外されない突出量（手指で摘まみにくい突出量）に設定されており、例えば７ｍｍ程度に設定されている。プレート１４３ｃは、インジケータ１４３ｄと、呼び登録釦１４３ｅ、１４３ｆと、を有している。インジケータ１４３ｄは、例えば、乗りかご１１０の現在階を示す数字、乗りかご１１０の昇降を示す矢印等を表示する。インジケータ１４３ｄは、特に限定されないが、７セグメントディスプレイ、１６セグメントディスプレイ、ＬＥＤ（Light  Emitting  Diode）表示器、または液晶ディスプレイ等が用いられる。呼び登録釦１４３ｅ、１４３ｆは、利用者が任意の乗り場１４０の階床に乗りかご１１０を呼ぶための釦である。呼び登録釦１４３ｅ、１４３ｆは、利用者が押下操作することで、エレベータ制御部１５０に対して呼び登録する。なお、インジケータ１４３ｄ、および呼び登録釦１４３ｅ、１４３ｆは、エレベータ制御部１５０に対して、伝送線や動力線で接続されている。インジケータ１４３ｄ、および呼び登録釦１４３ｅ、１４３ｆに接続される伝送線や動力線は、作業員により手動で着脱可能に連結するコネクタ機構を介して接続されている。
【００１８】
また、プレート１４３ｃは、収容箱１４３ａに対して着脱可能に取り付けられている。プレート１４３ｃは、例えば、収容箱１４３ａと係合する係合爪（図示省略）等を有している。係合爪は、収容箱１４３ａに対して、後述する図４に示すプレート取外し治具１により取り外し可能、かつ利用者により不用意に取り外されない強度で係合している。また、プレート１４３ｃは、図２および図３に示すように、装着穴１４３ｇを有している。
【００１９】
装着穴１４３ｇは、プレート取外し治具１（図４参照）が装着される穴である。装着穴１４３ｇは、プレート１４３ｃの鉛直方向の下端部に設けられている。装着穴１４３ｇは、プレート１４３ｃの鉛直方向の下端部から、鉛直方向に対して平行で上方に向かって延びて形成されている。装着穴１４３ｇは、鉛直方向視において、プレート取外し治具１が装着された状態で、プレート取外し治具１が装着穴１４３ｇ周りに回転することを規制する多角形状に形成されていることが好ましい。本実施形態では、装着穴１４３ｇは、図３に示すように、鉛直方向視で、六角形状に形成されている。
【００２０】
エレベータ制御部１５０は、図１に示すように、駆動機構１２０と同様に、昇降路１０１内の鉛直方向の上端付近に配置されている。エレベータ制御部１５０は、ＲＡＭ（Random  Access  Memory）、ＲＯＭ（Read  Only  Memory）、ＣＰＵ（Central  Processing  Unit）、入出力ポートおよび記憶装置を備えた演算装置である。エレベータ制御部１５０は、種々のセンサ、検出器やエレベータ１００の各部と電気的に接続され、エレベータ１００の全体を制御する。
【００２１】
次に、上記のように構成された実施形態に係るエレベータ１００の基本動作について説明する。
【００２２】
エレベータ１００は、乗りかご１１０のかご呼び登録装置１１２によるかご呼び登録、または乗り場１４０の乗り場呼び登録装置１４３の乗り場呼び登録に基づいて、乗りかご１１０の現在階、乗りかご１１０の昇降方向等に応じて駆動機構１２０の駆動動作を制御し、乗りかご１１０を任意の階の乗り場１４０へと移動させる。ここで、エレベータ１００では、任意の階の乗り場１４０の着床位置に乗りかご１１０が着床していることを検出すると、かご扉１１１および乗り場扉１４１を開く。また、エレベータ１００では、乗りかご１１０の乗客が乗り場１４０に降りることが可能になり、乗り場１４０の利用者が乗りかご１１０に乗り込むことが可能となる。
【００２３】
ここで、図４から図７を参照して、実施形態に係るプレート取外し治具１について説明する。図４は、実施形態に係るプレート取外し治具の概略構成例を示す側面図である。図５は、実施形態に係るプレート取外し治具の概略構成例を示す平面図である。図６は、実施形態に係るプレート取外し治具の概略構成例を示す正面図である。図７は、実施形態に係るプレート取外し治具の使用例を示す図である。
【００２４】
図４に示す実施形態に係るプレート取外し治具１は、乗り場呼び登録装置１４３のプレート１４３ｃを取り外すための治具である。プレート取外し治具１は、図４に示すように、治具本体１０で構成されている。
【００２５】
治具本体１０は、丸棒形状に形成され、例えば曲げ加工等によりＬ字形状に形成されている。治具本体１０は、特に限定されないが、例えば、クロムバナジウム鋼、またはクロムモリブデン鋼等の金属で構成されている。治具本体１０は、装着部１１と、把持部１２と、を一体に有している。つまり、プレート取外し治具１は、装着部１１と、把持部１２と、を備えている。また、治具本体１０は、黒染め、ニッケルめっき、またはクロムめっき等の防錆処理が施されていることが好ましい。
【００２６】
装着部１１は、図４に示すように、その長手方向の長さ（Ｌ１）が把持部１２の長手方向の長さ（Ｌ２）より短い（Ｌ１＜Ｌ２）。装着部１１の長手方向の長さ（Ｌ１）は、作業員に対してプレート取外し治具１が取り扱いやすい長さに設定されており、例えば３０ｍｍ程度の長さに設定されている。装着部１１は、装着穴１４３ｇに装着される部分が削り出し加工等により、装着穴１４３ｇに対応する六角形状に形成されている。装着部１１の六角形状に形成されている部分の二面幅Ｓ（互いに平行となる面同士と直交する方向の幅）は、図６に示すように、装着穴１４３ｇの二面幅（互いに平行に対向する面同士と直交する方向の幅）に対応する幅に設定されており、例えば３ｍｍ程度の幅に設定されている。装着部１１の六角形状に形成されている部分の長手方向の長さ（Ｌ３）は、図４および図７に示すように、装着穴１４３ｇとのはめあい長さ（Ｌ４）より長い（Ｌ３＞Ｌ４）。つまり、装着部１１は、少なくとも装着穴１４３ｇに装着される部分が装着穴１４３ｇに対応する多角形状に形成されている。このため、装着部１１は、装着穴１４３ｇに対して、鉛直方向に平行に挿抜可能に装着される。また、装着部１１は、装着穴１４３ｇに装着された状態で、鉛直方向に対して平行で下方に延在されている。
【００２７】
把持部１２は、図４に示すように、その長手方向の長さ（Ｌ２）が装着部１１の長手方向の長さ（Ｌ１）より長い（Ｌ２＞Ｌ１）。把持部１２の長手方向の長さ（Ｌ２）は、作業員に対してプレート取外し治具１が取り扱いやすい長さに設定されており、例えば５０ｍｍ程度の長さに設定されている。把持部１２は、図７に示すように、装着部１１が装着穴１４３ｇに装着された状態で、装着部１１の下方の端部からプレート１４３ｃとは反対側の水平方向に延在されている。つまり、治具本体１０は、装着部１１の長手方向と把持部１２の長手方向とが直交するＬ字形状に形成されている。また、把持部１２には、弾性部材１２ａが外装されている。
【００２８】
弾性部材１２ａは、作業員により摘ままれたり握られたりする部材である。弾性部材１２ａは、図４に示すように、把持部１２の長手方向に平行に延在されて形成されており、把持部１２が貫通する貫通穴が形成された円筒状、または把持部１２が挿入される挿入孔が形成された有底円筒状に形成されている。つまり、弾性部材１２ａは、筒状に形成されている。また、弾性部材１２ａは、弾性を有している。弾性部材１２ａとしては、特に限定されないが、例えば、天然ゴムチューブ、熱収縮ゴムチューブ、またはシリコーンゴムチューブ等のゴムチューブが用いられる。弾性部材１２ａは、把持部１２に外装された状態で、長手方向に引っ張られた際に、把持部１２から容易には引き抜けないことが好ましく、作業員の手指に対して滑りにくいことが好ましい。弾性部材１２ａは、作業員に対してプレート取外し治具１が取り扱いやすい外径に設定されており、例えば５ｍｍ程度の外径に設定されている。また、弾性部材１２ａは、作業員に対してプレート取外し治具１が取り扱いやすい長さ（長手方向の長さ）に設定されており、例えば４５ｍｍ程度の長さに設定されている。
【００２９】
次に、実施形態に係るエレベータ１００のメンテナンスについて説明する。なお、本実施形態では、乗りかご１１０を乗り場１４０側から運転してメンテナンスを実施する場合について説明する。
【００３０】
作業員は、図７に示すように、プレート取外し治具１の装着部１１を、乗り場呼び登録装置１４３のプレート１４３ｃの鉛直方向の下端部の装着穴１４３ｇに挿入（同図に示す矢印ａ）し、装着部１１を装着穴１４３ｇに装着させる。ここで、プレート取外し治具１では、把持部１２の長手方向が、装着部１１の鉛直方向の下方の端部（つまり下端部）からプレート１４３ｃとは反対側の水平方向に対して、平行となる。また、プレート取外し治具１では、装着部１１の装着穴１４３ｇと装着される部分が、装着穴１４３ｇに対応する六角形状に形成されているため、装着部１１が装着穴１４３ｇ周りに回転することが規制される。つまり、プレート取外し治具１では、装着部１１が装着穴１４３ｇに装着された状態で、把持部１２がプレート１４３ｃとは反対側の水平方向に対して平行となり、装着部１１が装着穴１４３ｇ周りに回転することが規制される。
【００３１】
装着部１１が装着穴１４３ｇに装着された後、作業員は、把持部１２の長手方向に対して平行に、把持部１２をプレート１４３ｃから遠ざかる方向へ引っ張り（同図に示す矢印ｂ）、プレート１４３ｃを取り外す。ここで、乗り場呼び登録装置１４３では、プレート１４３ｃの鉛直方向の下端部側が側壁１４２から遠ざかる方向へ引っ張られ、プレート１４３ｃの鉛直方向の上端部側を支点として、プレート１４３ｃの鉛直方向の下端部側から上端部側に向かって徐々に、収容箱１４３ａに対するプレート１４３ｃの係合が解除される。また、乗り場呼び登録装置１４３では、伝送線や動力線のコネクタ機構が作業員により手動で解除され、プレート１４３ｃのインジケータ１４３ｄおよび呼び登録釦１４３ｅ、１４３ｆと伝送線や動力線との接続が解除される。
【００３２】
プレート１４３ｃが取り外された後、作業員は、解錠キー（図示省略）を用いて保護カバー１４３ｂのロック機構を解錠し、保護カバー１４３ｂを取り外し、収容箱１４３ａに収容されたホールメンテナンスユニット基板にアクセスし、乗りかご１１０を乗り場１４０から運転する指示を入力する。ここで、エレベータ１００では、所定の階床の乗り場１４０へ乗りかご１１０が移動され、所定の階床の乗り場１４０の着床位置に乗りかご１１０が着床される。また、エレベータ１００では、エレベータ制御部１５０により、運転モードが通常運転モードからメンテナンスモードに切り替えられる。
【００３３】
乗りかご１１０を乗り場１４０から運転する指示が入力され、乗りかご１１０が着床された後、作業員は、乗りかご１１０上での必要な点検等のメンテナンスを実施する。
【００３４】
メンテナンスが実施された後、作業員は、ホールメンテナンスユニット基板にアクセスし、通常運転モードに切り替える指示を入力する。ここで、エレベータ１００では、エレベータ制御部１５０により、運転モードがメンテナンスモードから通常運転モードに切り替えられる。
【００３５】
通常運転モードに切り替える指示が入力された後、作業員は、解錠キーを用いて保護カバー１４３ｂのロック機構を施錠し、収容箱１４３ａに対して保護カバー１４３ｂを固定する。ここで、乗り場呼び登録装置１４３では、コネクタ機構により、プレート１４３ｃのインジケータ１４３ｄおよび呼び登録釦１４３ｅ、１４３ｆと伝送線や動力線とが作業員により手動で接続される。
【００３６】
保護カバー１４３ｂが固定された後、作業員は、収容箱１４３ａに対してプレート１４３ｃを側壁１４２に向かって押し込んで、プレート１４３ｃを収容箱１４３ａに取り付ける。ここで、乗り場呼び登録装置１４３では、プレート１４３ｃの係合爪が収容箱１４３ａに係合され、プレート１４３ｃが収容箱１４３ａに固定される。また、エレベータ１００では、乗り場呼び登録装置１４３のインジケータ１４３ｄに乗りかご１１０の現在階等の情報が表示され、呼び登録釦１４３ｅ、１４３ｆによる呼び登録が可能となる。
【００３７】
以上のように、実施形態に係るプレート取外し治具１によれば、装着部１１がプレート１４３ｃの鉛直方向の下端部の装着穴１４３ｇに装着された状態で、把持部１２が装着部１１の下端部からプレート１４３ｃとは反対側の水平方向に延在され、装着部１１と把持部１２とが一体でＬ字形状に形成されている。このため、実施形態に係るプレート取外し治具１によれば、作業員が把持部１２を摘まみつつ装着部１１を装着穴１４３ｇに装着させ、把持部１２をプレート１４３ｃとは反対側の水平方向に引っ張ることにより、プレート１４３ｃの上端部側を支点として、プレート１４３ｃの下端部側から収容箱１４３ａとの係合を解除し、プレート１４３ｃを収容箱１４３ａから取り外すことができる。したがって、実施形態に係るプレート取外し治具１によれば、乗り場呼び登録装置１４３のプレート１４３ｃを取り外すことができる。
【００３８】
また、実施形態に係るプレート取外し治具１によれば、装着部１１が装着穴１４３ｇに装着された状態で、把持部１２をプレート１４３ｃとは反対側の水平方向に引っ張ることにより、プレート１４３ｃを取り外すことができるので、簡単な操作で容易にプレート１４３ｃの取外し作業を行うことができる。このため、エレベータ１００の点検等のメンテナンス時に、プレート１４３ｃの取外し作業にかかる作業時間を短縮化することができる。
【００３９】
また、実施形態に係るプレート取外し治具１によれば、プレート１４３ｃや側壁１４２の周囲を例えばマイナスドライバー等の先端が鋭利な工具でこじってプレート１４３ｃを取り外さなくてよいので、プレート１４３ｃや側壁１４２が傷つけられることを抑制することができる。
【００４０】
また、実施形態に係るプレート取外し治具１によれば、装着部１１の長手方向の長さＬ１より把持部１２の長手方向の長さＬ２が長い（Ｌ１＜Ｌ２）ので、作業員が把持部１２を把持しやすい。このため、実施形態に係るプレート取外し治具１によれば、プレート１４３ｃの取外し作業での取扱い性を向上することができる。したがって、実施形態に係るプレート取外し治具１によれば、プレート１４３ｃの取外し作業の作業性を向上することができる。
【００４１】
また、実施形態に係るプレート取外し治具１によれば、把持部１２にはゴムチューブが外装されているので、作業員が把持部１２を把持しやすく、滑りにくい。このため、実施形態に係るプレート取外し治具１によれば、プレート１４３ｃの取外し作業での取扱い性および作業性を向上することができる。
【００４２】
また、実施形態に係るプレート取外し治具１によれば、装着部１１のうち装着穴１４３ｇに装着される部分が、装着穴１４３ｇに対応する六角形状に形成されているので、プレート取外し治具１が装着穴１４３ｇ周りに回転することを規制することができる。このため、実施形態に係るプレート取外し治具１によれば、装着部１１を装着穴１４３ｇに対して装着した際に、把持部１２の長手方向をプレート１４３ｃとは反対側の水平方向に保つことができる。したがって、実施形態に係るプレート取外し治具１によれば、プレート１４３ｃの取外し作業での作業性を向上することができる。
【００４３】
なお、上述した実施形態に係るプレート取外し治具１によれば、装着穴１４３ｇ、および装着部１１のうち装着穴１４３ｇに装着される部分が六角形状に形成されていたが、これに限定されず、例えば、三角形状、四角形状や八角形状等の多角形状、星型五角形状（いわゆるペンタローブ）や星型六角形状（いわゆるヘックスローブ）等の星型多角形状であってもよい。これにより、装着部１１が装着穴１４３ｇに装着された状態で、プレート取外し治具１が装着穴１４３ｇ周りに回転することを規制することができる。
【００４４】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４５】
１  プレート取外し治具
１１  装着部
１２  把持部
１２ａ  弾性部材
１４３  乗り場呼び登録装置
１４３ｃ  プレート
１４３ｇ  装着穴
【図１】
2015168545.tif 000003
【図２】
2015168545.tif 000004
【図３】
2015168545.tif 000005
【図４】
2015168545.tif 000006
【図５】
2015168545.tif 000007
【図６】
2015168545.tif 000008
【図７】
2015168545.tif 000009
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
乗り場呼び登録装置のプレートの鉛直方向の下端部の装着穴に対して鉛直方向に平行に挿抜可能に装着され、前記装着穴に装着された状態で鉛直方向に対して平行で下方に延在される装着部と、
前記装着部が前記装着穴に装着された状態で、前記装着部の下方の端部から前記プレートとは反対側の水平方向に延在される把持部と、を備え、
前記装着穴は、鉛直方向視で六角形状に形成され、かつ鉛直方向に平行で上方に向かって延びて形成され、
前記装着部は、少なくとも前記装着穴に装着される部分が前記装着穴に対応する六角形状に形成されていることを特徴とするプレート取外し治具。
【請求項２】
前記装着部の長手方向の長さより前記把持部の長手方向の長さが長いことを特徴とする請求項１に記載のプレート取外し治具。
【請求項３】
前記把持部には、弾性を有し、筒状に形成された弾性部材が外装されていることを特徴とする請求項１または請求項２に記載のプレート取外し治具。
【手続補正２】
【補正対象書類名】明細書
【補正対象項目名】０００６
【補正方法】変更
【補正の内容】
【０００６】
実施形態のプレート取外し治具は、装着部と、把持部と、を備えている。装着部は、乗り場呼び登録装置のプレートの鉛直方向の下端部の装着穴に対して鉛直方向に平行に挿抜可能に装着される。装着部は、装着穴に装着された状態で鉛直方向に対して平行で下方に延在される。把持部は、装着部が装着穴に装着された状態で、装着部の下方の端部からプレートとは反対側の水平方向に延在される。装着部は、少なくとも装着穴に装着される部分が装着穴に対応する六角形状に形成されている。装着穴は、鉛直方向視で六角形状に形成され、かつ鉛直方向に平行で上方に向かって延びて形成される。